Podtech/llm-jp-corpus-v4-ja_patent huggingface dataset:
【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
情報処理装置であって、
ゲーム画像を生成するアプリケーション実行部と、
通知メッセージを生成するメッセージ生成部と、
ゲーム画像を含む表示画像を生成する画像処理部と、
表示画像を共有サーバ経由で、１以上の情報処理端末に配信する共有処理部と、を備え、
前記メッセージ生成部は、表示画像の配信中であるか否かによって、異なる通知メッセージを生成する、
ことを特徴とする情報処理装置。
【請求項２】
通知メッセージを視認可能に表示画像に含めるか否かを、ユーザが設定可能とする設定部、をさらに備える、
ことを特徴とする請求項１に記載の情報処理装置。
【請求項３】
ユーザが通知メッセージを視認可能に表示画像に含めることを設定している場合に、前記メッセージ生成部は、表示画像の配信中であるか否かによって、異なる通知メッセージを生成する、
ことを特徴とする請求項２に記載の情報処理装置。
【請求項４】
前記画像処理部は、生成した表示画像を、前記共有処理部と出力装置に出力する、
ことを特徴とする請求項１から３のいずれかに記載の情報処理装置。
【請求項５】
前記メッセージ生成部は、表示画像の配信中は個人情報を通知メッセージに含めない、
ことを特徴とする請求項１から４のいずれかに記載の情報処理装置。
【請求項６】
前記メッセージ生成部は、表示画像の配信中は、メッセージの確認手法を通知メッセージに含める、
ことを特徴とする請求項１から５のいずれかに記載の情報処理装置。
【請求項７】
ゲーム画像を生成するステップと、
通知メッセージを生成するステップと、
ゲーム画像を含む配信画像を生成するステップと、
配信画像を共有サーバ経由で、１以上の情報処理端末に配信するステップと、
配信画像の配信中、配信画像を配信していないときとは異なる通知メッセージを生成するステップと、
ことを特徴とするゲーム画像配信方法。
【請求項８】
コンピュータに、
ゲーム画像を生成する機能と、
通知メッセージを生成する機能と、
ゲーム画像を含む配信画像を生成する機能と、
配信画像を共有サーバ経由で、１以上の情報処理端末に配信する機能と、
配信画像の配信中、配信画像を配信していないときとは異なる通知メッセージを生成する機能と、
を実現させるためのプログラム。
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
情報処理装置であって、
ゲーム画像を含む表示画像を生成する画像処理部と、
表示画像を共有サーバ経由で、１以上の情報処理端末に配信する配信処理部と、
情報処理端末を操作する視聴ユーザのプレイ要求を受け付け、プレイを要求した１人の視聴ユーザのゲームプレイを承認する参加処理部と、
ゲームプレイを承認された視聴ユーザが操作する情報処理端末から送信される操作情報を用いて、ゲームを処理するアプリケーション実行部と、を備え、
前記参加処理部は、受け付けたプレイ要求の数をカウントし、前記画像処理部は、プレイ要求の数を表示画像に含める、
ことを特徴とする情報処理装置。
【請求項２】
前記画像処理部は、視聴ユーザの数と、プレイ要求の数とを並べて表示画像に含める、
ことを特徴とする請求項１に記載の情報処理装置。
【請求項３】
前記画像処理部は、プレイ要求の数を、ポップアップ表示する、
ことを特徴とする請求項１または２に記載の情報処理装置。
【請求項４】
前記参加処理部がゲームプレイを承認した後、当該視聴ユーザが操作する情報処理端末とＰ２Ｐ接続する接続制御部、を備える、
ことを特徴とする請求項１から３のいずれかに記載の情報処理装置。
【請求項５】
前記参加処理部は、当該情報処理装置のネットワークサービスを管理する管理サーバ経由で情報処理端末からプレイ要求を受け付け、管理サーバ経由で情報処理端末にゲームプレイの承認を送信する、
ことを特徴とする請求項１から４のいずれかに記載の情報処理装置。
【請求項６】
前記参加処理部は、管理サーバから、プレイを要求した視聴ユーザのゲームに関する習熟度を示す情報を受け付け、
前記画像処理部は、プレイを要求した視聴ユーザのリストを、ゲームに関する習熟度を示す情報とともに表示する、
ことを特徴とする請求項５に記載の情報処理装置。
【請求項７】
前記配信処理部が、表示画像を共有サーバ経由で配信しているとき、ユーザが所定の操作をすると、前記参加処理部が、視聴ユーザのゲーム参加を受け付けることを、管理サーバに通知する、
ことを特徴とする請求項１から６のいずれかに記載の情報処理装置。
【請求項８】
ゲーム画像を配信する方法であって、
ゲーム画像を含む表示画像を生成するステップと、
表示画像を共有サーバ経由で、１以上の情報処理端末に配信するステップと、
情報処理端末を操作する視聴ユーザのプレイ要求を受け付けるステップと、
受け付けたプレイ要求の数をカウントするステップと、
カウントしたプレイ要求の数を表示するステップと、
プレイを要求した１人の視聴ユーザのゲームプレイを承認するステップと、
ゲームプレイを承認された視聴ユーザが操作する情報処理端末から送信される操作情報を用いて、ゲームを処理するステップと、を有する、
ことを特徴とするゲーム画像配信方法。
【請求項９】
コンピュータに、
ゲーム画像を含む表示画像を生成する機能と、
表示画像を共有サーバ経由で、１以上の情報処理端末に配信する機能と、
情報処理端末を操作する視聴ユーザのプレイ要求を受け付ける機能と、
受け付けたプレイ要求の数をカウントする機能と、
カウントしたプレイ要求の数を表示する機能と、
プレイを要求した１人の視聴ユーザのゲームプレイを承認する機能と、
ゲームプレイを承認された視聴ユーザが操作する情報処理端末から送信される操作情報を用いて、ゲームを処理する機能と、
を実現させるためのプログラム。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
液透過性の表面シート、液保持性の吸収体、及び該表面シートと該吸収体との間に配される液透過性の中間シートを備える吸収性物品であって、
前記中間シートは、その非肌対向面に、該中間シートに隣接する前記吸収体に接触する複数の接触部と該吸収体に接触しない非接触部とを有し、
前記中間シートを前記吸収体側から厚み方向に３０ｇｆ／ｃｍ2の圧力で押圧したときに、押圧した押圧面に対する、該押圧面に存在する複数の前記接触部が前記吸収体に接触する接触面の総面積の割合が８０％以下であり、
前記表面シートは、第１シートと第２シートとの積層体を含み、該積層体において両シートが部分的に接合されて複数の接合部が形成され、
前記接合部には、該接合部を貫通する開孔が形成されており、
前記中間シートは、その肌対向面に、非肌対向面側に向かって凸に凹陥し且つ前記表面シートと接触しない肌側非接触部を有しており、
前記開孔と前記肌側非接触部とは、厚み方向に、２０％以上重なっており、
前記肌側非接触部と２０％以上重なっている開孔が、該開孔全体の３割以上である、吸収性物品。
【請求項２】
前記吸収性物品を平面視して、複数の前記接触部は、一方向に離間して配置されている、請求項１に記載の吸収性物品。
【請求項３】
前記吸収性物品を平面視して、複数の前記接触部は、二方向に離間して配置されている、請求項１に記載の吸収性物品。
【請求項４】
前記中間シートは、その肌対向面に、前記表面シートと接触する肌側接触部を有し、
前記中間シートを前記表面シート側から厚み方向に３０ｇｆ／ｃｍ2の圧力で押圧したときに、押圧した押圧面に対する、該押圧面に存在する複数の前記肌側接触部が前記表面シートに接触する接触面の総面積の割合が、前記非肌対向面側の前記接触部が前記吸収体に接触する接触面の総面積の割合よりも大きい、請求項１〜３の何れか１項に記載の吸収性物品。
【請求項５】
前記表面シートが第１シートと第２シートとの積層体を含み、該積層体において両シートが部分的に接合されて複数の接合部が形成され、該第１シートが該接合部以外の部位において該第２シートから離れる方向に突出して、着用者の肌側に向かって突出する複数の凸部を形成しており、
前記第２シートの非肌対向面が平坦面である、請求項１〜４の何れか１項に記載の吸収性物品。
【手続補正２】
【補正対象書類名】明細書
【補正対象項目名】００２３
【補正方法】変更
【補正の内容】
【００２３】
中間シート５は、図２に示すように、その肌対向面に、非肌対向面側に向かって凸に凹陥し且つ表面シート２と接触しない肌側非接触部５３Ｎを有している。具体的には、非肌対向面の接触部５４Ｓにおいては、非肌側凸部５２が吸収体４に接触して形成されており、接触部５４Ｓに位置する中間シート５の肌対向面が非肌対向面側に向かって凸に凹陥しており、肌側非接触部５３Ｎが形成されている。このように肌側非接触部５３Ｎは接触部５４Ｓに対応する位置に配されている。非肌側凸部５２の内部は、構成繊維で満たされておらず空洞となっており、非肌側凸部５２の内部が空洞となっているので、中間シート５の肌対向面側で表面シート２から移行した軟便を拡散せずにストックすることができる。同様に、肌対向面の肌側接触部５３Ｓにおいては、肌側凸部５１が表面シート２に接触して形成されており、肌側接触部５３Ｓに位置する中間シート５の非肌対向面が肌対向面側に向かって凸に凹陥しており、肌側接触部５３Ｓが形成されている。このように肌側接触部５３Ｓは非肌側の非接触部５４Ｎに対応する位置に配されている。肌側凸部５１の内部は、構成繊維で満たされておらず中空の内部空間となっている。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
液保持性の吸収性コアと、該吸収性コアの肌対向面側に配された肌対向繊維構造体とを具備する吸収性物品であって、
前記肌対向繊維構造体は、肌対向面側に配される表面シートと、該表面シートの非肌対向面に隣接して配される液透過性の中間シートとを備え、
前記吸収性物品を肌対向面側から平面視して、前記肌対向繊維構造体が、相対的に繊維密度が低い複数の低密度領域と、相対的に繊維密度が高い高密度領域とを有しており、各該低密度領域が該高密度領域によって囲まれている、吸収性物品。
【請求項２】
前記吸収性物品を肌対向面側から平面視して、各前記低密度領域の面積が５ｍｍ2以上２０ｍｍ2以下である、請求項１に記載の吸収性物品。
【請求項３】
前記吸収性物品を肌対向面側から平面視して、前記肌対向繊維構造体の表面積に対する複数の前記低密度領域の総面積の割合が５％以上１５％以下である、請求項１又は２に記載の吸収性物品。
【請求項４】
前記吸収性物品を肌対向面側から平面視して、各前記低密度領域と、各該低密度領域を囲む前記高密度領域との境目に境界部分を有し、
前記境界部分の繊維密度が、前記高密度領域の繊維密度よりも高い、請求項１〜３の何れか１項に記載の吸収性物品。
【請求項５】
肌対向面を構成する繊維のイオン交換水に対する接触角に関し、
前記高密度領域の接触角が前記境界部分の接触角よりも小さく、前記低密度領域の接触角が前記高密度領域の接触角よりも小さい、請求項４に記載の吸収性物品。
【請求項６】
着用者の前後方向に相当する縦方向と、これに直交する横方向とを有し、
各前記低密度領域は、前記縦方向に長い形状に形成されている、請求項１〜５の何れか１項に記載の吸収性物品。
【請求項７】
複数の前記低密度領域は、着用者の便排泄部に対向配置される便排泄部対向部に設けられている、請求項１〜６の何れか１項に記載の吸収性物品。
【請求項８】
前記表面シートは、面方向に分散して配された開孔を有しており、
前記低密度領域は、前記中間シートの肌対向面が前記開孔から露出して形成されている、請求項１〜７の何れか１項に記載の吸収性物品。
【請求項９】
前記中間シートは、その肌対向面側の繊維の繊維密度が、その非肌対向面側の繊維の繊維密度よりも低い、請求項８に記載の吸収性物品。
【請求項１０】
前記低密度領域と前記高密度領域との境界部分である前記表面シートにおける前記開孔の外縁部分の肌対向面側を構成する繊維の接触角は、８２度以上８７度以下である、請求項８又は９に記載の吸収性物品。
【請求項１１】
前記高密度領域の接触角である前記表面シートにおける前記開孔を除く部分の肌対向面側を構成する繊維の接触角は、７８度以上８２度以下である、請求項８〜１０の何れか１項に記載の吸収性物品。
【請求項１２】
少なくとも前記開孔から露出する部分において、前記中間シートの肌対向面側を構成する繊維の接触角は、７０度以上７８度以下である、請求項８〜１１の何れか１項に記載の吸収性物品。
【手続補正２】
【補正対象書類名】明細書
【補正対象項目名】００４５
【補正方法】変更
【補正の内容】
【００４５】
〔イオン交換水に対する繊維の接触角の測定方法〕
所定の部位から繊維を取り出し、その繊維に対する水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃ毎に画像が録画される。録画された映像において、不織布から取り出した繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維のなす角を算出し、接触角とする。表面シート２から取り出した繊維は、繊維長１ｍｍに裁断し、該繊維を接触角計のサンプル台に載せて、水平に維持する。該繊維１本につき異なる２箇所の接触角を測定する。Ｎ＝５本の接触角を小数点以下１桁まで計測し、合計１０箇所の測定値を平均した値（小数点以下第２桁で四捨五入）を接触角と定義する。
【手続補正書】
【提出日】令和2年5月27日(2020.5.27)
【手続補正１】
【補正対象書類名】特許請求の範囲
【補正対象項目名】全文
【補正方法】変更
【補正の内容】
【特許請求の範囲】
【請求項１】
上部フレームと、前記上部フレームを保持するベースフレームとを有するベッド装置であって、
前記上部フレームに掛かる荷重を検出する検出部材と、
前記検出部材の一端部を前記上部フレーム側に保持する第１の取付部材と、
前記検出部材の他端部を前記ベースフレーム側に保持する第２の取付部材と、
を備え、
前記上部フレームと前記ベースフレームと前記検出部材とを水平方向に配置したことを特徴とするベッド装置。
【請求項２】
水平方向に変位可能な連結機構を備え、
前記連結機構を介して少なくとも前記第１の取付部材と前記第２の取付部材との何れか一方と前記検出部材とが連結される
ことを特徴とする請求項１に記載のベッド装置。
【請求項３】
前記連結機構は、複数個を上下に重ねて設けることを特徴とする請求項２に記載のベッド装置。
【請求項４】
水平方向にスライド可能なスライド部材を備え、
前記スライド部材を介して前記連結機構を取付けることを特徴とする請求項２に記載のベッド装置。
【請求項５】
前記検出部材は、前記上部フレームに対して少なくとも３箇所に設けられることを特徴とする請求項１から４のうち何れか一項に記載のベッド装置。
【手続補正書】
【提出日】令和2年11月11日(2020.11.11)
【手続補正１】
【補正対象書類名】特許請求の範囲
【補正対象項目名】全文
【補正方法】変更
【補正の内容】
【特許請求の範囲】
【請求項１】
入力画像において処理対象とする画素群について、前記画素群に含まれる各画素の画素値に基づいて、目標値を決定する目標値決定手段と、
前記画素群に含まれる各画素の画素値に基づいて、前記各画素が属するクラスを決定するクラス決定手段と、
前記画素群に含まれる各画素に対応する閾値に基づいて、前記各画素の順位を決定する順位決定手段と、
前記目標値と前記クラスと前記順位とに基づいて、前記画素群に含まれる各画素の出力値を決定する出力値決定手段と、
を有することを特徴とする画像処理装置。
【請求項２】
前記出力値決定手段は、前記目標値に相当するドット数のドットを分配することによって、前記出力値を決定することを特徴とする請求項１に記載の画像処理装置。
【請求項３】
前記出力値決定手段は、前記クラスに基づいて、前記画素群に含まれる画素のうちドットを分配する候補を選択し、前記順位に基づいて、ドットを分配する画素を前記候補から選択することを特徴とする請求項２に記載の画像処理装置。
【請求項４】
前記クラス決定手段は、前記画素群に含まれる各画素の画素値に基づいて、前記入力画像における画素の画素値がとり得る範囲を、所定の画素値の範囲毎に分割することで複数のクラスを決定し、
前記出力値決定手段は、前記複数のクラスのうち最も高い画素値の範囲であるクラスから順に前記候補を選択することを特徴とする請求項３に記載の画像処理装置。
【請求項５】
前記出力値決定手段は、前記候補のうち、前記順位が高い順にドットを分配することを特徴とする請求項４に記載の画像処理装置。
【請求項６】
前記クラス決定手段は、前記画素群に含まれる画素の画素値のうち、最大の画素値を基準とした画素値の範囲をクラスとして設定し、
前記出力値決定手段は、前記クラスに分類される画素を前記候補として選択することを特徴とする請求項３に記載の画像処理装置。
【請求項７】
前記クラス決定手段は、前記出力値決定手段がドットを分配する画素を決定する毎に、前記クラスに対応する画素値の範囲を更新することを特徴とする請求項６に記載の画像処理装置。
【請求項８】
前記順位決定手段は、対応する閾値の値が小さい画素から対応する閾値の値が大きい画素の順に、前記順位を決定することを特徴とする請求項１乃至７の何れか一項に記載の画像処理装置。
【請求項９】
さらに、閾値マトリクスを格納する格納手段と、
前記閾値マトリクスを参照して、前記画素群に含まれる各画素に対応する閾値を取得する閾値取得手段と、を有し、
前記順位決定手段は、前記閾値取得手段が取得した閾値に基づいて、前記順位を決定することを特徴とする請求項１乃至８の何れか一項に記載の画像処理装置。
【請求項１０】
前記閾値マトリクスは、ドット集中型であることを特徴とする請求項９に記載の画像処理装置。
【請求項１１】
前記クラス決定手段は、前記入力画像における画素の画素値が取り得る範囲を、所定の画素値の範囲毎に分割することで複数のクラスを決定し、
前記出力値決定手段は、前記複数のクラスに含まれるクラス毎に分配するドット数を算出し、クラス毎にドットを分配する画素を前記順位に基づいて決定することを特徴とする請求項３に記載の画像処理装置。
【請求項１２】
前記出力値決定手段は、前記分配するドット数を、同じクラスに所属する画素数と該画素値とに基づいて算出することを特徴とする請求項１１に記載の画像処理装置。
【請求項１３】
前記出力値決定手段は、クラス内の画素の画素値の合計とドットを分配した結果得られる出力値の合計との差分を下位クラスに伝播し、前記下位クラスにおいては前記差分に基づいてクラス内の画素値の合計を補正して前記分配するドット数を算出することを特徴とする請求項１１または１２に記載の画像処理装置。
【請求項１４】
前記出力値決定手段は、前記複数のクラスそれぞれについて前記分配するドット数までドットを分配した後に、前記分配するドット数と前記目標値との差分を、優先度の高いクラスに含まれるドットを分配されなかった画素に再分配することを特徴とする請求項１１乃至１３の何れか一項に記載の画像処理装置。
【請求項１５】
前記目標値決定手段は、前記画素群において出力すべきドット数を表す目標値を決定することを特徴とする請求項１乃至１４の何れか一項に記載の画像処理装置。
【請求項１６】
コンピュータを請求項１乃至１５のいずれか一項に記載の画像処理装置の各手段として機能させるためのプログラム。
【請求項１７】
入力画像において処理対象とする画素群について、前記画素群に含まれる各画素の画素値に基づいて、目標値を決定し、
前記画素群に含まれる各画素の画素値に基づいて、前記各画素が属するクラスを決定し、
前記画素群に含まれる各画素に対応する閾値に基づいて、前記各画素の順位を決定し、
前記目標値と前記クラスと前記順位とに基づいて、前記画素群に含まれる各画素の出力値を決定することを特徴とする画像処理方法。
【手続補正２】
【補正対象書類名】明細書
【補正対象項目名】０００７
【補正方法】変更
【補正の内容】
【０００７】
上記課題を解決するために、本発明に係る画像処理装置は、入力画像において処理対象とする画素群について、前記画素群に含まれる各画素の画素値に基づいて、目標値を決定する目標値決定手段と、前記画素群に含まれる各画素の画素値に基づいて、前記各画素が属するクラスを決定するクラス決定手段と、前記画素群に含まれる各画素に対応する閾値に基づいて、前記各画素の順位を決定する順位決定手段と、前記目標値と前記クラスと前記順位とに基づいて、前記画素群に含まれる各画素の出力値を決定する出力値決定手段と、を有することを特徴とする。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
電極層を有する細胞培養セルを用い、
前記細胞培養セルの前記電極層の表面にペプチドを修飾し、前記ペプチドを介して細胞を前記電極層に播種して培養する細胞培養工程と、
前記電極層に所定の電位を印加して前記細胞を前記電極層から脱離させる細胞脱離工程と、を有する細胞培養方法であって、
前記細胞培養工程の前に前記細胞培養セルの前記電極層の表面を洗浄する前洗浄工程と、
前記細胞脱離工程の後に前記細胞培養セルの前記細胞が脱離した前記電極層の表面を洗浄する後洗浄工程と、を有し、
前記後洗浄工程が終了した後、前記後洗浄工程により前記電極層の表面が洗浄された前記細胞培養セルを用いて、前記細胞培養工程と、前記細胞脱離工程とを、前記前洗浄工程を行なうことなく実施する、細胞培養方法。
【請求項２】
前記後洗浄工程の終了後、前記細胞培養工程が開始される前まで、前記後洗浄工程により洗浄された前記電極層の表面が洗浄された状態を少なくとも維持する環境下で前記細胞培養セルを保管する細胞培養セル保管工程を有する請求項１記載の細胞培養方法。
【請求項３】
前記細胞培養セル保管工程は、前記後洗浄工程により洗浄された前記電極層の表面に所定波長の紫外線が照射される環境下で前記細胞培養セルを保管する請求項２記載の細胞培養方法。
【請求項４】
前記前洗浄工程又は前記後洗浄工程、または、前記前洗浄工程及び前記後洗浄工程のそれぞれは、前記電極層の表面に所定波長の紫外線を照射して前記電極層の表面を洗浄する紫外線洗浄工程、前記電極層の表面をオゾンガスにさらして前記電極層の表面を洗浄するオゾンガス洗浄工程、及び前記電極層の表面にオゾン水を供給して前記電極層の表面を洗浄するオゾン水洗浄工程の、一又は複数の組合せを含む請求項１乃至３のいずれかに記載の細胞培養方法。
【請求項５】
電極層を有する細胞培養セルを用い、
前記細胞培養セルの前記電極層の表面にペプチドを修飾し、前記ペプチドを介して細胞を前記電極層に播種して培養する細胞培養工程と、
前記電極層に所定の電位を印加して前記細胞を前記電極層から脱離させる細胞脱離工程と、を有する細胞培養方法に用いられる洗浄装置であって、
前記細胞培養工程の前の、または、前記細胞脱離工程を経た、前記細胞培養セルの前記電極層の表面を洗浄する洗浄装置。
【請求項６】
前記電極層の表面に所定波長の紫外線を照射して前記電極層の表面を洗浄する紫外線洗浄機構、前記電極層の表面をオゾンガスにさらして前記電極層の表面を洗浄するオゾンガス洗浄機構、及び前記電極層の表面にオゾン水を供給して前記電極層の表面を洗浄するオゾン水洗浄機構の、一又は複数の組合せを含む請求項５に記載の洗浄装置。
【請求項７】
電極層を有する細胞培養セルを洗浄する洗浄装置であって、
電極層を上方に向けて前記細胞培養セルがセットされる回転可能なセットテーブルと、
前記セットテーブルの所定角度位置において、当該セットテーブルにセットされた前記細胞培養セルに対向するように配置され、所定波長の紫外線を前記電極層に向けて照射するＵＶランプと、を有する洗浄装置。
【請求項８】
前記ＵＶランプを昇降動させる昇降機構を有する、請求項７記載の洗浄装置。
【請求項９】
前記セットテーブルは、当該セットテーブルの所定角度位置において、前記ＵＶランプに対向するように前記細胞培養セルがセットされる複数の凹部を有する、請求項７または８記載の洗浄装置。
【請求項１０】
前記セットテーブルを連続的に回転させる制御装置を有する請求項９記載の洗浄装置。
【請求項１１】
前記複数の凹部のそれぞれにセットされた前記細胞培養セルが、前記ＵＶランプに対向するように、前記セットテーブルを間欠回転させる制御装置を有する請求項９記載の洗浄装置。
【請求項１２】
前記ＵＶランプが照射する紫外線の波長は、２５４ｎｍｍ未満である、請求項７乃至１１のいずれかに記載の洗浄装置。
【手続補正２】
【補正対象書類名】明細書
【補正対象項目名】発明の名称
【補正方法】変更
【補正の内容】
【発明の名称】細胞培養方法及び洗浄装置
【手続補正３】
【補正対象書類名】明細書
【補正対象項目名】０００１
【補正方法】変更
【補正の内容】
【０００１】
本発明は、細胞培養方法及び洗浄装置に関する。
【手続補正４】
【補正対象書類名】明細書
【補正対象項目名】０００８
【補正方法】変更
【補正の内容】
【０００８】
更に、本発明は、それらの細胞培養方法に用いることのできる洗浄装置を提供するものである。
【手続補正５】
【補正対象書類名】明細書
【補正対象項目名】００１３
【補正方法】削除
【補正の内容】
【手続補正６】
【補正対象書類名】明細書
【補正対象項目名】００１５
【補正方法】変更
【補正の内容】
【００１５】
本発明によれば、電極層にむらなくペプチドを修飾することができる。その結果、播種された細胞をペプチドを介してむらなく電極層に接着させることができる。つまり、本発明者らは、電極層の洗浄度合と、電極層へのペプチドの修飾度合、さらには細胞の接着度合と、の間に相関関係があることを見出し、本発明に至ったものである。
【手続補正７】
【補正対象書類名】明細書
【補正対象項目名】００２０
【補正方法】変更
【補正の内容】
【００２０】
図１において、この細胞培養方法では、細胞培養セルの生成工程Ｓ１０、前洗浄工程Ｓ１１、細胞培養工程Ｓ１２、及び細胞脱離工程Ｓ１３が順次実行される。細胞培養セルの生成工程Ｓ１０では、ガラス基板１０ａの表面にスパッタリング等の手法により、クロム（Ｃｒ）層、金（Ａｕ）層が順次成膜されて金の電極層１０ｂが形成され、ガラス基板１０ａに金の電極層１０ｂが積層された構造の細胞培養セル１０が生成される。
【手続補正８】
【補正対象書類名】明細書
【補正対象項目名】００２１
【補正方法】変更
【補正の内容】
【００２１】
細胞培養工程Ｓ１２の前に、前洗浄工程Ｓ１１において、上述したようにして（Ｓ１０参照）生成された細胞培養セル１０の電極層１０ｂの表面の洗浄が行われる。具体的には、細胞培養セル１０の電極層１０ｂの表面に、ＵＶランプ２１からの紫外線（ＵＶ）が照射され、この紫外線により電極層１０ｂの表面が洗浄される。このＵＶランプ２１を用いた洗浄装置は、例えば、図２Ａ及び図２Ｂに示すように構成される。なお、図２Ａは洗浄装置を示す平面図であり、図２Ｂは洗浄装置を示す正面図である。
【手続補正書】
【提出日】令和2年10月9日(2020.10.9)
【手続補正１】
【補正対象書類名】明細書
【補正対象項目名】００１６
【補正方法】変更
【補正の内容】
【００１６】
上記ＫＫＭＩ０１株の16S rRNA遺伝子配列に基づく最尤法分子系統樹解析の結果を図１に示す。この分子系統樹解析の結果から、ＫＫＭＩ０１株は、海洋性の光合成細菌であるロドブラム（Rhodovulum）属に属する菌株であることが示された。また、前記分子系統樹から前記菌株はロドブラム・サルフィドフィルム（Rhodovulum sulfidophilum）に最も近縁であることが示された。
この菌株は、独立行政法人製品評価技術基盤機構特許微生物寄託センターに寄託されている（受託日は２０１７年９月２７日、受託番号はＮＩＴＥ  Ｐ−０２５４８である）。
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
保護対象物の保護対象部を保護する保護部品であって、
互いに嵌合可能な第１ハウジング及び第２ハウジングと、
少なくとも一方のハウジングに装填された充填剤と、
少なくとも前記第２ハウジングの内側に形成されている壁部と、
を備え、
前記壁部は、前記保護対象物に沿って延在しながら前記第１ハウジングと前記第２ハウジングとの嵌合側に向けて突出する、
保護部品。
【請求項２】
前記壁部は、前記保護対象物よりも前記嵌合側に向けて突出する、
請求項１に記載の保護部品。
【請求項３】
前記第１ハウジング及び前記第２ハウジングは、直線的に延びる接続部によって互いに接続されている、
請求項１又は２に記載の保護部品。
【請求項４】
少なくとも前記第２ハウジングは、前記壁部に沿って形成され、前記保護対象物を保持する第１保持部を備える、
請求項１乃至３のいずれか１項に記載の保護部品。
【請求項５】
少なくとも前記第２ハウジングは、端部に形成され、前記第１保持部と共に前記保護対象物を保持する第２保持部を備える、
請求項４に記載の保護部品。
【請求項６】
前記第２保持部は、少なくとも前記第２ハウジングの対向する一対の端部それぞれに形成されている、
請求項５に記載の保護部品。
【請求項７】
少なくとも前記第２ハウジングは、前記第２保持部よりも内側に形成されている前記壁部を備える、
請求項５又は６に記載の保護部品。
【請求項８】
前記第１ハウジングは、側面に形成された弾性を有する第１ロック部を備え、
前記第２ハウジングは、側面に形成された第２ロック部を備え、
前記第１ロック部と前記第２ロック部とは、前記第１ハウジング及び前記第２ハウジングが嵌合する嵌合状態で、前記第１ハウジング及び前記第２ハウジングの内部で係合し、前記第１ロック部の内面が前記充填剤と接触する、
請求項１乃至７のいずれか１項に記載の保護部品。
【請求項９】
前記第１ロック部の先端は、前記第１ハウジング及び前記第２ハウジングが嵌合する嵌合状態で、前記充填剤における前記第２ハウジングの底面側の先端よりも前記第２ハウジングの底面側に位置する、
請求項８に記載の保護部品。
【請求項１０】
少なくとも一方のハウジングは、前記第１ハウジング及び前記第２ハウジングが嵌合する嵌合状態で前記充填剤が入り込む空間を備える、
請求項１乃至９のいずれか１項に記載の保護部品。
【請求項１１】
前記充填剤は、前記第１ハウジング及び前記第２ハウジングにそれぞれ装填された第１充填剤及び第２充填剤を備え、
前記第１充填剤及び前記第２充填剤は、嵌合状態の前記第１ハウジング及び前記第２ハウジングの内部で合着して互いに一体化する、
請求項１乃至１０のいずれか１項に記載の保護部品。
【請求項１２】
保護対象物の保護対象部を保護する保護方法であって、
互いに嵌合可能な第１ハウジング及び第２ハウジングの少なくとも一方に充填剤を装填するステップと、
少なくとも前記第２ハウジングの内側に、前記保護対象物に沿って延在しながら前記第１ハウジングと前記第２ハウジングとの嵌合側に向けて突出するように形成されている壁部を基準として、前記保護対象物を位置合わせするステップと、
装填された前記充填剤が前記保護対象物を支持するステップと、
前記第１ハウジング及び前記第２ハウジングが互いに嵌合するステップと、
を含む、
保護方法。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技制御手段と、
前記遊技制御手段からの情報に基づいて演出を実行可能な演出実行手段と、を備え、
前記遊技制御手段は、
前記有利状態の確率に関する設定値を設定可能な設定手段と、
前記設定手段により設定された設定値に応じた確率により前記有利状態に制御することを決定可能な決定手段と、
前記有利状態の制御を実行可能な有利状態制御手段と、
いずれの設定値に設定されたかを特定可能な設定情報を含む情報を出力可能な情報出力手段と、を有し、
前記演出実行手段は、
前記情報出力手段から出力された情報に基づいて、前記有利状態制御手段が前記有利状態に制御しているときに遊技者へ付与された遊技価値の数が特定数となったときに報知演出を実行可能であり、
前記設定情報から特定される設定値に応じて複数種類設けられた前記報知演出の実行割合が異なる、遊技機。
【手続補正２】
【補正対象書類名】明細書
【補正対象項目名】０００２
【補正方法】変更
【補正の内容】
【０００２】
従来、設定値の変更が可能な遊技機として、特開２０１０−２００９０２号公報に記載されているものがある。また、有利状態としての大当り遊技中において、遊技媒体である遊技球の獲得数が特定数となったときに報知演出を実行可能な遊技機として、特開２０１０−０７５４３６号公報に記載されているものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１０−０７５４３６号公報
【手続補正４】
【補正対象書類名】明細書
【補正対象項目名】０００４
【補正方法】変更
【補正の内容】
【０００４】
しかしながら、特開２０１０−２００９０２号公報や特開２０１０−０７５４３６号公報に記載の技術では、設定値が設けられた遊技機の報知演出について改善の余地があった。
【手続補正５】
【補正対象書類名】明細書
【補正対象項目名】０００５
【補正方法】変更
【補正の内容】
【０００５】
本発明は、かかる実情に鑑み考え出されたものであり、その目的は、設定値が設けられた遊技機における報知演出の興趣を向上させることのできる遊技機を提供することである。
【手続補正６】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（大当り遊技状態等）に制御可能な遊技機（パチンコ遊技機１等）であって、
遊技制御手段と、
前記遊技制御手段からの情報に基づいて演出を実行可能な演出実行手段と、を備え、
前記遊技制御手段は、
前記有利状態の確率に関する設定値（設定値１〜設定値３等）を設定可能な設定手段（遊技制御用マイクロコンピュータ１００等）と、
前記設定手段により設定された設定値（設定値１〜設定値３等）に応じた確率により前記有利状態に制御することを決定可能な決定手段と、
前記有利状態の制御を実行可能な有利状態制御手段と、
いずれの設定値に設定されたかを特定可能な設定情報を含む情報を出力可能な情報出力手段と、を有し、
前記演出実行手段は、
前記情報出力手段から出力された情報に基づいて、前記有利状態制御手段が前記有利状態に制御しているときに遊技者へ付与された遊技価値の数が特定数（１０００発ごとの超過数）となったときに報知演出（獲得数設定示唆演出）を実行可能であり、
前記設定情報から特定される設定値に応じて複数種類設けられた前記報知演出の実行割合が異なる（図９-１１において設定値１〜設定値３に応じて複数種類の設定示唆演出の選択割合が異なる等）。
【手続補正７】
【補正対象書類名】明細書
【補正対象項目名】０００７
【補正方法】変更
【補正の内容】
【０００７】
このような構成によれば、設定値が設けられた遊技機における報知演出の興趣を向上させることができる。
【手続補正書】
【提出日】令和2年7月27日(2020.7.27)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技制御手段と、
前記遊技制御手段からの情報に基づいて演出を実行可能な演出実行手段と、を備え、
前記遊技制御手段は、
前記有利状態の確率に関する設定値を設定可能な設定手段と、
可変表示を行い特定表示結果が表示されたことに基づいて前記有利状態に制御可能であるとともに、前記特定表示結果とは異なる特殊表示結果が表示されているときに遊技媒体が特定領域を通過したことに基づいて前記有利状態に制御可能な有利状態制御手段と、
いずれの設定値に設定されたかを特定可能な設定情報を含む情報を出力可能な情報出力手段と、を有し、
前記有利状態制御手段は、前記設定手段により設定された設定値に応じた確率により前記特定表示結果が表示されたことに基づいて前記有利状態に制御し、
前記演出実行手段は、
前記情報出力手段から出力された情報に基づいて、遊技媒体が前記特定領域を通過したときに通過報知演出を実行し、
複数種類設けられた前記通過報知演出を前記設定情報から特定される設定値に応じて異なる割合で実行可能である、遊技機。
【請求項２】
遊技者にとって有利な有利状態に制御可能な遊技機であって、
遊技制御手段と、
前記遊技制御手段からの情報に基づいて演出を実行可能な演出実行手段と、を備え、
前記遊技制御手段は、
前記有利状態の確率に関する設定値を設定可能な設定手段と、
可変表示を行い特定表示結果が表示されたことに基づいて前記有利状態に制御可能な有利状態制御手段と、
前記有利状態に制御されているときに遊技媒体が特定領域を通過したことに基づいて、前記有利状態とは異なり、通常状態よりも遊技者にとって有利な特別状態に制御可能な特別状態制御手段と、
いずれの設定値に設定されたかを特定可能な設定情報を含む情報を出力可能な情報出力手段と、を有し、
前記有利状態制御手段は、前記設定手段により設定された設定値に応じた確率により前記特定表示結果が表示されたことに基づいて前記有利状態に制御し、
前記演出実行手段は、
前記情報出力手段から出力された情報に基づいて、遊技媒体が前記特定領域を通過したときに通過報知演出を実行し、
複数種類設けられた前記通過報知演出を前記設定情報から特定される設定値に応じて異なる割合で実行可能である、遊技機。
【手続補正２】
【補正対象書類名】明細書
【補正対象項目名】０００２
【補正方法】変更
【補正の内容】
【０００２】
従来、設定値の変更が可能な遊技機として、特開２０１０−２００９０２号公報に記載されているものがある。また、遊技媒体である遊技球が特定領域を通過したときに通過報知演出を実行可能な遊技機として、特開２０１６−２０２６０５号公報に記載されているものがある。
【手続補正３】
【補正対象書類名】明細書
【補正対象項目名】０００３
【補正方法】変更
【補正の内容】
【０００３】
【特許文献１】特開２０１０−２００９０２号公報
【特許文献２】特開２０１６−２０２６０５号公報
【手続補正４】
【補正対象書類名】明細書
【補正対象項目名】０００４
【補正方法】変更
【補正の内容】
【０００４】
しかしながら、特開２０１０−２００９０２号公報や特開２０１６−２０２６０５号公報に記載の技術では、設定値が設けられた遊技機の通過報知演出について改善の余地があった。
【手続補正５】
【補正対象書類名】明細書
【補正対象項目名】０００５
【補正方法】変更
【補正の内容】
【０００５】
本発明は、かかる実情に鑑み考え出されたものであり、その目的は、設定値が設けられた遊技機における通過報知演出の興趣を向上させることのできる遊技機を提供することである。
【手続補正６】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（大当り遊技状態等）に制御可能な遊技機（パチンコ遊技機１等）であって、
遊技制御手段と、
前記遊技制御手段からの情報に基づいて演出を実行可能な演出実行手段と、を備え、
前記遊技制御手段は、
前記有利状態の確率に関する設定値（設定値１〜設定値３等）を設定可能な設定手段（遊技制御用マイクロコンピュータ１００等）と、
可変表示を行い特定表示結果が表示されたことに基づいて前記有利状態に制御可能であるとともに、前記特定表示結果とは異なる特殊表示結果が表示されているときに遊技媒体が特定領域を通過したことに基づいて前記有利状態に制御可能な有利状態制御手段と、
いずれの設定値に設定されたかを特定可能な設定情報を含む情報を出力可能な情報出力手段と、を有し、
前記有利状態制御手段は、前記設定手段により設定された設定値に応じた確率により前記特定表示結果が表示されたことに基づいて前記有利状態に制御し、
前記演出実行手段は、
前記情報出力手段から出力された情報に基づいて、遊技媒体が前記特定領域を通過したときに通過報知演出（Ｖ入賞設定示唆演出）を実行し、
複数種類設けられた前記通過報知演出を前記設定情報から特定される設定値に応じて異なる割合で実行可能である。
【手続補正７】
【補正対象書類名】明細書
【補正対象項目名】０００７
【補正方法】変更
【補正の内容】
【０００７】
（２）上記目的を達成するため、本願発明に係る遊技機は、
遊技者にとって有利な有利状態（大当り遊技状態等）に制御可能な遊技機（パチンコ遊技機１等）であって、
遊技制御手段と、
前記遊技制御手段からの情報に基づいて演出を実行可能な演出実行手段と、を備え、
前記遊技制御手段は、
前記有利状態の確率に関する設定値（設定値１〜設定値３等）を設定可能な設定手段（遊技制御用マイクロコンピュータ１００等）と、
可変表示を行い特定表示結果が表示されたことに基づいて前記有利状態に制御可能な有利状態制御手段と、
前記有利状態に制御されているときに遊技媒体が特定領域（Ｖ領域）を通過したことに基づいて、前記有利状態とは異なり、通常状態よりも遊技者にとって有利な特別状態に制御可能な特別状態制御手段と、
いずれの設定値に設定されたかを特定可能な設定情報を含む情報を出力可能な情報出力手段と、を有し、
前記有利状態制御手段は、前記設定手段により設定された設定値に応じた確率により前記特定表示結果が表示されたことに基づいて前記有利状態に制御し、
前記演出実行手段は、
前記情報出力手段から出力された情報に基づいて、遊技媒体が前記特定領域を通過したときに通過報知演出（Ｖ入賞設定示唆演出）を実行し、
複数種類設けられた前記通過報知演出を前記設定情報から特定される設定値に応じて異なる割合で実行可能である。
このような構成によれば、設定値が設けられた遊技機における通過報知演出の興趣を向上させることができる。
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
可動体を備え、
前記有利状態は、複数回の所定遊技により構成される状態であり、
前記有利状態は、少なくとも第１有利状態と、当該第１有利状態よりも不利な第２有利状態とを含み、
前記第１有利状態において、複数回の前記所定遊技の各々の開始時に前記第２有利状態では実行しない特別演出を実行可能であり、
前記特別演出は、特別画像の表示を含み、
前記特別画像が表示される領域は、当該特別画像が表示されない領域よりも広く、
前記第２有利状態において、複数回の前記所定遊技に亘って一連の演出を実行可能であり、
前記特別演出は、一の前記所定遊技が終了するよりも前に終了し、
前記一連の演出は、複数回の前記所定遊技のうち一の前記所定遊技が実行されているときと、該一の前記所定遊技が終了し次の前記所定遊技が実行されるまでの期間と、該次の前記所定遊技が実行されているときとに亘って、中断することなく実行され、
前記第２有利状態において、複数回の前記所定遊技の各々の開始時に前記特別画像よりも小さいサイズで所定画像を表示可能であり、
前記第１有利状態において、前記所定遊技の開始時に前記特別演出を実行した後、次の前記所定遊技が開始されるよりも前に、前記可動体を用いた可動体演出を実行可能である、遊技機。
【手続補正２】
【補正対象書類名】明細書
【補正対象項目名】０００６
【補正方法】変更
【補正の内容】
【０００６】
（１）上記目的を達成するため、本願発明に係る遊技機は、
遊技者にとって有利な有利状態（大当り遊技状態等）に制御可能な遊技機（パチンコ遊技機１等）であって、
可動体を備え、
前記有利状態は、複数回の所定遊技（特別可変入賞球装置７の開放等）により構成される状態であり、
前記有利状態は、少なくとも第１有利状態（１５Ｒ大当り等）と、当該第１有利状態よりも不利な第２有利状態（５Ｒ大当り等）とを含み、
前記第１有利状態において、複数回の前記所定遊技の各々の開始時に前記第２有利状態では実行しない特別演出（図９−１（Ａ），（Ｄ）の１５Ｒ大当りであることを強調表示する演出よりなる特別演出等）を実行可能であり（特徴部２２９Ｆ等）、
前記特別演出は、特別画像の表示を含み、
前記特別画像が表示される領域は、当該特別画像が表示されない領域よりも広く、
前記第２有利状態において、複数回の前記所定遊技に亘って一連の演出を実行可能であり、
前記特別演出は、一の前記所定遊技が終了するよりも前に終了し、
前記一連の演出は、複数回の前記所定遊技のうち一の前記所定遊技が実行されているときと、該一の前記所定遊技が終了し次の前記所定遊技が実行されるまでの期間と、該次の前記所定遊技が実行されているときとに亘って、中断することなく実行され、
前記第２有利状態において、複数回の前記所定遊技の各々の開始時に前記特別画像よりも小さいサイズで所定画像を表示可能であり、
前記第１有利状態において、前記所定遊技の開始時に前記特別演出を実行した後、次の前記所定遊技が開始されるよりも前に、前記可動体を用いた可動体演出を実行可能である。
【手続補正３】
【補正対象書類名】明細書
【補正対象項目名】００１４
【補正方法】変更
【補正の内容】
【００１４】
（５）上記（１）から（４）のいずれかの遊技機において、
前記可動体（図９−２の可動役物２２９Ｆ００２，２２９Ｆ００３等）と、
前記第１有利状態における前記所定遊技の終了時から次の前記所定遊技の開始時までの期間中に前記可動体を動作させる（図９−１（Ｄ），（Ｆ）の可動役物２２９Ｆ００２，２２９Ｆ００３等）可動体動作手段とをさらに備える。
【手続補正４】
【補正対象書類名】明細書
【補正対象項目名】００１５
【補正方法】変更
【補正の内容】
【００１５】
このような構成によれば、所定遊技の終了時から次の所定遊技の開始時までの期間中に可動体の動作に注目させることができる。
【手続補正５】
【補正対象書類名】明細書
【補正対象項目名】００１６
【補正方法】変更
【補正の内容】
【００１６】
（６）上記（５）の遊技機において、
前記遊技機は、複数段階から成る設定値（設定値１〜設定値３等）に応じて遊技者にとっての有利度（大当り確率等）が異なるように遊技を進行可能であって、
前記可動体の動作パターンにより、いずれの設定値に設定されているかの示唆が可能である（図９−２のように、設定値１〜設定値３で可動役物による設定示唆演出種類の選択割合が異なる等）。
【手続補正６】
【補正対象書類名】明細書
【補正対象項目名】００１７
【補正方法】変更
【補正の内容】
【００１７】
このような構成によれば、可動体の動作パターンに注目させることができる。
【手続補正７】
【補正対象書類名】明細書
【補正対象項目名】００１８
【補正方法】変更
【補正の内容】
【００１８】
（７）上記（５）の遊技機において、
可変表示に関する情報を保留記憶情報として記憶可能な保留記憶手段（ＲＡＭ１０２等）と、
前記有利状態とするか否かを保留記憶情報に基づいて決定する決定手段（図５のＳ１１０等）と、
前記決定手段の決定よりも前に、前記有利状態とするか否かを判定する判定手段（図５のＳ１０１等）とをさらに備え、
前記有利状態中において、前記判定手段の判定結果に基づいて前記保留記憶手段に前記有利状態に制御されると判定された保留記憶情報が記憶されている場合に、前記有利状態に制御されることを前記可動体の動作パターンにより示唆が可能である（［可動役物の動作パターンによる保留連示唆演出］等）。
【手続補正８】
【補正対象書類名】明細書
【補正対象項目名】００１９
【補正方法】変更
【補正の内容】
【００１９】
このような構成によれば、可動体の動作パターンに注目させることができる。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
被測定者による生体情報測定装置の装着の有無を判断するために予め設定されている設定時刻を示す情報を取得する設定時刻情報取得部と、
前記設定時刻における前記生体情報測定装置の装着の有無を判断する判断部と、
前記設定時刻に関連付けられている優先度を示す情報を取得する優先度情報取得部と、
前記判断部によって前記被測定者が前記設定時刻に前記生体情報測定装置を装着していないと判断された場合において、前記取得された情報に示される優先度が第１の優先度であるときに、前記被測定者に対して前記生体情報測定装置を装着させる支援の実行を指示する指示信号を出力し、前記取得された情報に示される優先度が前記第１の優先度とは異なる第２の優先度であるときに、前記指示信号を出力しない指示信号出力部と、
を備える生体情報測定装置。
【請求項２】
前記設定時刻は、生体情報の測定を実行する時刻または前記生体情報の測定を実行する時刻よりも所定時間前の時刻であり、
前記設定時刻は、前記生体情報の測定を実行する時刻を入力させるためのユーザインタフェースで入力された時刻に基づいている、
請求項１に記載の生体情報測定装置。
【請求項３】
前記設定時刻は、前記被測定者が所定の場所を離れる予定の時刻または前記被測定者が前記所定の場所を離れる予定の時刻よりも所定時間前の時刻であり、
前記設定時刻は、前記被測定者が所定の場所を離れる予定の時刻を入力させるためのユーザインタフェースで入力された時刻に基づいている、
請求項１に記載の生体情報測定装置。
【請求項４】
前記生体情報測定装置の現在位置を示す情報を取得する現在位置情報取得部をさらに備え、
前記指示信号出力部は、前記現在位置に応じて、前記支援の内容を変更する、請求項１から３のうちの何れか１項に記載の生体情報測定装置。
【請求項５】
前記被測定者のスケジュールを示す情報を取得するスケジュール情報取得部をさらに備え、
前記指示信号出力部は、前記スケジュールに応じて、前記支援を実行する時刻を設定する、請求項１から３のうちの何れか１項に記載の生体情報測定装置。
【請求項６】
被測定者による生体情報測定装置の装着の有無を判断するために予め設定されている設定時刻を示す情報を取得する取得過程と、
前記設定時刻における前記生体情報測定装置の装着の有無を判断する判断過程と、
前記設定時刻に関連付けられている優先度を示す情報を取得する優先度情報取得過程と、
前記被測定者が前記設定時刻に前記生体情報測定装置を装着していないと判断された場合において、前記取得された情報に示される優先度が第１の優先度であるときに、前記被測定者に対して前記生体情報測定装置を装着させる支援の実行を指示する指示信号を出力し、前記取得された情報に示される優先度が前記第１の優先度とは異なる第２の優先度であるときに、前記指示信号を出力しない信号出力過程と、
を備える装着支援方法。
【請求項７】
請求項１から５のうちの何れか１項に記載の生体情報測定装置が備える各部としてコンピュータを機能させる装着支援プログラム。
【手続補正書】
【提出日】令和2年3月9日(2020.3.9)
【手続補正１】
【補正対象書類名】特許請求の範囲
【補正対象項目名】全文
【補正方法】変更
【補正の内容】
【特許請求の範囲】
【請求項１】
制御部を備えたＵＥ（User Equipment）であって、
第１のタイマーは、ＤＮＮ（Data Network Name）毎に、ＤＮＮに基づいた輻輳管理のために実行され、
第２のタイマーは、Ｓ−ＮＳＳＡＩ（Single Network Slice Selection Assistance Information）及びＤＮＮ毎に、Ｓ−ＮＳＳＡＩに基づいた輻輳管理のために実行され、
前記第１のタイマー及び前記第２のタイマーは、前記ＵＥによって提供される同一のＤＮＮと関連付けられており、
前記制御部は、前記第１のタイマーと前記第２のタイマーを同時に実行する、
ことを特徴とするＵＥ。
【請求項２】
ＵＥ（User Equipment）の通信制御方法であって、
第１のタイマーは、ＤＮＮ（Data Network Name）毎に、ＤＮＮに基づいた輻輳管理のために実行され、
第２のタイマーは、Ｓ−ＮＳＳＡＩ（Single Network Slice Selection Assistance Information）及びＤＮＮ毎に、Ｓ−ＮＳＳＡＩに基づいた輻輳管理のために実行され、
前記第１のタイマー及び前記第２のタイマーは、前記ＵＥによって提供される同一のＤＮＮと関連付けられており、
前記ＵＥは、前記第１のタイマーと前記第２のタイマーを同時に実行する、
ことを特徴とするＵＥの通信制御方法。
【手続補正２】
【補正対象書類名】明細書
【補正対象項目名】発明の名称
【補正方法】変更
【補正の内容】
【発明の名称】ＵＥ及びＵＥの通信制御方法